(57)【要約】【課題】信号表示灯において、ユーザにおいて、単独機能の追加、取り外し、変更が自由にできるようにする。【解決手段】表示ユニット２とともに、ブザーユニット３、点滅ユニット４、電源ユニット５、ベースユニット６という具合に、各機能ごとにユニット化されている。【効果】信号表示灯を機能ごとにユニット化したので、単独の機能を自由に追加、取り外し、変更することができる。したがって、ユーザにとって、ほしい機能だけをユーザ自身が選定できる。またメーカにとっては、ユニット単位で在庫を持つことができる。【選択図】　　　　図１
2004062653.tif 000002
【特許請求の範囲】
【請求項１】
複数の機能を有する信号表示灯において、
各機能ごとにユニット化されていて、各ユニットは、着脱可能であり、かつ、装着時は積層状態で装着されることを特徴とする信号表示灯。
【請求項２】
信号線接続機能、電源変換機能、点滅機能及び警報機能の中から選ばれた１つ以上の機能がユニット化されていることを特徴とする請求項１記載の信号表示灯。
【請求項３】
信号線接続機能、電源変換機能、点滅機能及び警報機能の中から選ばれた２つ以上の機能がユニット化されていることを特徴とする請求項１記載の信号表示灯。
【請求項４】
信号線接続機能、電源変換機能、点滅機能及び警報機能がユニット化されていることを特徴とする請求項１記載の信号表示灯。
【発明の詳細な説明】
【０００１】
【発明の属する技術分野】
本発明は、複数の機能を有する信号表示灯に関するものである。
【０００２】
【従来の技術】
信号表示灯は、工場などさまざまな場所における機械、設備の動作や状態を表示する表示器として広く用いられている。
信号表示灯には、複数種類の信号表示を行うために、色違いの表示ユニットを多段に設けたものが存在する。
この多段式の信号表示灯では、各段の表示ユニットへの配線を簡単にするため、コネクタを使って上下の表示ユニット間を直接接続するようにしたものが知られている（特開平６−４４８０７号公報参照）。
【０００３】
この信号表示灯では、コネクタで直接接続することで、表示ユニットの追加・交換が簡単にできる。
図４は、従来の信号表示灯の分解正面図であり、信号表示灯は、シャフト１１、ヘッドカバー１、表示ユニット２とともに、ベースユニット７を備えている。
図５は、ベースユニット７の内部配線図である。ベースユニットは、機能別に複数種類製作される。これらをベースユニット７ａ〜７ｄ（総称するときは「ベースユニット７」）という。
【０００４】
ベースユニット７ａは電源線、信号線を接続する機能のみを有している。ベースユニット７ｂは、電源線、信号線を接続する機能に加えて点滅回路８を備えている。ベースユニット７ｃは、電源線、信号線を接続する機能に加えて警報回路９を備えている。ベースユニット７ｄは、電源線、信号線を接続する機能に加えて点滅回路８及び警報回路９を備えている。
【０００５】
【発明が解決しようとする課題】
この従来の信号表示灯では、表示ユニット２の追加・交換は、信号線の数以内であれば、簡単にできるが、点滅、警報の各機能については、１つのベースユニット７に収納されているので、これらの機能の一部を追加、交換しようとすると、ベースユニット７の全体を交換しなければならなかった。
すなわち、信号表示灯発注時のオプションとして、点滅、警報、点滅＋警報の３種類が選択できるが、いずれか１つのオプションを指定してベースユニットを注文し出来上がった後、他の仕様に変更しようとすると、ベースユニットごとすべてを交換することになってしまう。
【０００６】
図６は、高圧用ベースユニット７の内部配線図である。高圧用ベースユニットは、機能別に複数種類製作される。これらを高圧用ベースユニット７ｅ〜７ｈ（総称するときは「ベースユニット７」）という。
高圧用ベースユニット７ｅは高圧用電源回路１０と信号線を接続する機能のみを有している。高圧用ベースユニット７ｆは、高圧用電源回路１０と信号線を接続する機能に加えて点滅回路８を備えている。高圧用ベースユニット７ｇは、高圧用電源回路１０と信号線を接続する機能に加えて警報回路９を備えている。高圧用ベースユニット７ｈは、高圧用電源回路１０と信号線を接続する機能に加えて点滅回路８及び警報回路９を備えている。
【０００７】
ベースユニットの基本仕様の電源電圧は低圧用（１２，２４Ｖ）（図５；７ａ〜７ｄ参照）であるが、高圧用（１００，１２０，２２０Ｖ）に切り換えようとすれば、ベースユニット７ａ〜７ｄから高圧用ベースユニット７ｅ〜７ｈに交換しなければならない。このため、ベースユニット７ａ〜７ｄに収納されている他の機能、例えば点滅機能、警報機能についても、変更がないのに、必然的に交換することになり、無駄が発生する。
【０００８】
さらに、他の仕様に変更したり、低圧用から高圧用に切り換える場合だけでなく、ベースユニットに内蔵された機能が１つ故障した際にも、ベースユニット全部を交換しなければならないので、無駄が発生する。
そこで、本発明は、信号表示灯を各機能ごとにユニット化することにより、ユーザでの単独機能の追加、取り外し、変更が自由にできる信号表示灯を提供することを目的とする。
【０００９】
【課題を解決するための手段】
本発明の信号表示灯は、複数の機能を有し、各機能ごとにユニット化されていて、各ユニットは、着脱可能であり、かつ、装着時は積層状態で装着されることを特徴とする（請求項１）。
この構成によれば、信号表示灯を機能ごとにユニット化したので、単独の機能を自由に追加、取り外し、変更することができる。したがって、ユーザにとって、ほしい機能だけをユーザ自身が選定できる。またメーカにとっては、ユニット単位で在庫を持つことができる。
【００１０】
本発明の信号表示灯は、複数の機能を有し、信号線接続機能、電源変換機能、点滅機能及び警報機能の中から選ばれた１つ以上の機能ごとにユニット化されていることを特徴とする（請求項２）。
この構成によれば、信号線接続機能、電源変換機能、点滅機能及び警報機能の中から選ばれた１つ以上の機能がユニット化されている。例えば、電源変換機能がユニット化されていれば、電源電圧を切り換えたいとき（例：低圧→高圧）に、電源ユニットのみ交換すれば、他の機能ユニットについては、交換しなくともよいので、費用の節約ができるという効果がある。
【００１１】
本発明の信号表示灯は、複数の機能を有し、信号線接続機能、電源変換機能、点滅機能及び警報機能の中から選ばれた２つ以上の機能ごとにユニット化されていることを特徴とする（請求項３）。
この構成によれば、信号線接続機能、電源変換機能、点滅機能及び警報機能の中から選ばれた２つ以上の機能がユニット化されている。例えば、点滅機能及び警報機能がユニット化されていれば、発注時所望のユニットを選択することにより、点滅、警報、点滅＋警報の３種類の仕様に対応することができる。また、機能を追加したり（例：点滅→点滅＋警報）、取り替えたり（例：点滅→警報）したいときは、ユニットを追加し、又は取り替えることにより、対応することができる。
【００１２】
本発明の信号表示灯は、信号線接続機能、電源変換機能、点滅機能及び警報機能が全てユニット化されていることを特徴とする（請求項４）。
【００１３】
【発明の実施の形態】
以下、本発明の実施の形態を、添付図面を参照しながら詳細に説明する。
図１は、本発明の信号表示灯の分解正面図である。信号表示灯は、ヘッドカバー１、表示ユニット２とともに、従来のベースユニットの機能を４つに分解して、ブザーユニット３、点滅ユニット４、電源ユニット５、ベースユニット６を備えている。表示ユニット２は、図１では３段描かれているが、実際には、信号端子の数に相当する段数を用意することができる。
【００１４】
この信号表示灯は、従来の信号表示灯のように、各ユニットを積層してまとめて固定するためのシャフト１１（図４参照）を備えていないという特徴がある。従来では、シャフト１１を利用してユニット間を固定していたため、ユニットの段数が決まってしまい、ユニットを増減するためには、シャフトの交換が必要であった。
本発明の信号表示灯では、ユニット同士を連結するだけで、ユニットを積層していくことができる連結構造を採用している。
【００１５】
図２（ａ）（ｂ）は、ユニット間の連結構造を示す断面図である。この連結構造は、ユニットの外周上に複数個所、等間隔に配置されている。例えば、２箇所１８０°の角度をもって配置されていてもよく、３箇所１２０°の角度ごとに配置されていてもよい。３箇所とすると確実な連結が得られるが、２箇所とする方が、脱着作業が容易になり、実用的である。
図２（ａ）に連結構造の断面図を示すように、ユニット（符号Ｕで示す）の円筒側面の上部に、溝７１が水平に形成され、溝７１の下に係合凹部７２が水平に形成されている。このユニットＵの上から、同形状のユニットＵを押し込み、下端の係合爪７３を、係合凹部７２に係合させることにより、ユニット間を装着する。この状態では、溝７１にはめ込まれた輪状のパッキン７４が、上側のユニットの内壁に当接して、がたつきの防止と、防水の役目を果たす。
【００１６】
図２（ｂ）は、他の連結構造を示す。この構造では、ユニットＵの円筒側面の上部に防水パッキン７５（ゴム製）が、ユニットＵの円筒部（樹脂製）と一体にモールド成形されている。ユニットＵの円筒側面内壁の下側には、前記防水パッキン７５を嵌合させる溝７６が水平に形成されている。上からユニットを押し込むと、前記防水パッキン７５が、上側のユニットの内壁に形成された溝７６に嵌合して、防水パッキン７５のゴム圧によりユニット間を連結し固定することができる。
【００１７】
このように、この連結構造によれば、特別の工具がなくても、ユニットを自由に追加して積層することができる。また一部ユニットを自由に取り外すこともできる。また、この連結構造は飛び出しがないので、外形のデザインを損なわないという利点もある。
図１に戻り、ベースユニット６は信号線接続機能、電源ユニット５は電源変換機能、点滅ユニット４は点滅機能、ブザーユニット６３は警報機能をそれぞれ実現するためのものである。
【００１８】
これらの表示ユニット２、ブザーユニット３、点滅ユニット４、電源ユニット５、ベースユニット６の内部配線図を、図３に示す。
まず、ベースユニット６は、商用電源ＡＣ１００Ｖにつなぐ電源端子を備えている。さらに、ベースユニットは、信号端子１〜６及び共通端子を備えている。外部機器の状態、動作などを表す接点信号（最大６種類）が、前記信号端子１〜６のいずれかと共通端子との間に印加される。
【００１９】
電源ユニット５は、商用電源を低圧（ＡＣ／ＤＣ２４Ｖ）に落とす電源回路５１を備えている。この他にＡＣ／ＤＣ１２Ｖ対応のものもある。また、ＡＣ１００Ｖ，１２０Ｖ，２２０Ｖ，９０〜２５０Ｖなどに対応する高圧電源ユニットもある。
点滅ユニット４は、表示ユニットにおける表示を点滅させる場合に必要な接点オンオフ信号を生成する点滅回路４１を備えている。
ブザーユニット３は、警報発生回路３１を備えている。警報発生回路３１は、単音、あるいは複数種類の音色を発生する。入力端子は、音色に応じて２種類あり、いずれかを信号端子１〜６に接続する。
【００２０】
表示ユニット２は、ＬＥＤ、電球、フラッシュ等からなる表示回路２１を備えている。表示回路２１の２入力端子のうちの１つは、前記点滅回路４１を通す端子又は通さない端子のいずれかに選択的に接続される。他の１つは、信号端子１〜６のいずれかに接続される。
この表示ユニット２は、前述したように、信号端子の数（６）に相当する段数を用意することができる。
【００２１】
以上の表示ユニット２、ブザーユニット３、点滅ユニット４、電源ユニット５、ベースユニット６の相互間接続は、公知のように、コネクタや導電板を使って上下のユニット間を直接接続することにより行う（例えば、特開平６−４４８０７号公報、特開平７−２８２６０５号公報参照）。これにより、各ユニットを縦にスタック接続することができ、スタッカブルな構造の信号表示灯を実現できる。
以上のように、ブザーユニット３、点滅ユニット４、電源ユニット５、ベースユニット６を別々の筐体で構成したので、機能を追加、取り外し、変更したい場合に、自由に対応できる。
【００２２】
例えば、初めベースユニット６、電源ユニット５と、所定数の表示ユニット２を用いて、信号表示灯を構成し、後にブザーユニット３や、点滅ユニット４を追加すれば、警報、点滅表示が可能となる。このとき、ベースユニット６、電源ユニット５は、従来のものがそのまま利用できる。
また、高圧で使用する場合は、電源ユニット５として高圧用のものを指定すれば、高圧用表示ユニットに対応することができる。この場合、電源ユニット内に低圧用の電源回路を格納する必要がないから、電源ユニット全体のコストを下げることができる。
【００２３】
本発明の信号表示灯は、工場などさまざまな場所における機械、設備の動作や状態を表示する表示器として単独で用いることもできるが、ＡＳｉやＤｅｖｉｃｅ　ＮＥＴなどのネットワークに対応したユニット（対応する回路基板を含む）を作り、このユニットを信号表示灯に組み込めば、当該ネットワークに信号表示灯を接続して、当該ネットワークからの情報を解析して表示ユニットに供給する環境をもたらすことができる。
【００２４】
以上で、本発明の実施の形態を説明したが、本発明の実施は、前記の形態に限定されるものではなく、本発明の範囲内において種々の変更を施すことが可能である。
【００２５】
【発明の効果】
以上のように本発明によれば、ユーザにとって、欲しい機能だけを選定して信号表示灯を構成することができる。また、機能の追加、取り外し、変更が容易である。また、メーカにとって、在庫をユニット単位で持つことができるので、管理経費を軽減できる。
【図面の簡単な説明】
【図１】本発明の信号表示灯の分解正面図である。
【図２】ユニット間の連結構造を示す断面図である。
【図３】本発明の信号表示灯の表示ユニット２、ブザーユニット３、点滅ユニット４、電源ユニット５、ベースユニット６の内部配線図である。
【図４】従来の信号表示灯の分解正面図である。
【図５】従来のベースユニットの内部配線図である。
【図６】従来の高圧用ベースユニットの内部配線図である。
【符号の説明】
１　ヘッドカバー
２　表示ユニット
３　ブザーユニット
４　点滅ユニット
５　電源ユニット
６　ベースユニット
７　ベースユニット（従来）
８　点滅回路
９　警報回路
１０　高圧用電源回路
１１　シャフト
【図１】
2004062653.tif 000003
【図２】
2004062653.tif 000004
【図３】
2004062653.tif 000005
【図４】
2004062653.tif 000006
【図５】
2004062653.tif 000007
【図６】
2004062653.tif 000008